(57)【要約】【課題】駆動回路に供給される電圧が変化したとしても電気光学物質に劣化を生じさせない。【解決手段】電圧低下検出回路１６０は、走査線駆動回路２００およびデータ線駆動回路３００に電圧を供給する供給線１４２，１４４，１４６および１４８に印加される電圧Ｖ１，Ｖ２，Ｖ３およびＶ４のうちいずれかの低下を検出し、検出結果を示す検出信号ＤＳをＣＰＵ１２０に供給する。ＣＰＵ１２０は、検出信号ＤＳに応じて、電圧Ｖ１，Ｖ２，Ｖ３およびＶ４のいずれかが低下したと判定すると、画素容量３５０に含まれる電極に蓄積された電荷を除去すると共に、走査線駆動回路２００の動作を停止させる。【選択図】        図１
2004317582.tif 000002
【特許請求の範囲】
【請求項１】
電気光学物質に電圧を印加するための一対の電極に、複数の電圧のうちいずれかを印加する駆動回路を備えた電気光学装置の制御方法であって、
前記駆動回路に供給される前記複数の電圧のうちいずれかの変動を検出し、
前記複数の電圧のうちいずれかの変動が検出された場合に、前記一対の電極のうち少なくとも一方に蓄えられた電荷を除去する
ことを特徴とする電気光学装置の制御方法。
【請求項２】
前記複数の電圧は、前記電気光学物質を駆動する駆動電圧と、前記電気光学物質を非駆動とする非駆動電圧とを含み、
前記複数の電圧のうちいずれかの変動が検出された場合に、前記一対の電極に前記非駆動電圧を印加して、前記一対の電極に蓄えられた電荷を除去する
ことを特徴とする請求項１に記載の電気光学装置の制御方法。
【請求項３】
前記複数の電圧のうちいずれかの変動が検出された場合に、固定電位を供給する配線に、前記一対の電極うち少なくとも一方を接続することにより当該電極に蓄えられた電荷を除去する
ことを特徴とする請求項１に記載の電気光学装置の制御方法。
【請求項４】
前記複数の電圧のうちいずれかの変動は、前記複数の電圧のうちいずれかが所定の閾値を下回った場合に検出される
ことを特徴とする請求項１ないし３のいずれかに記載の電気光学装置の制御方法。
【請求項５】
前記複数の電圧のうちいずれかの変動は、前記複数の電圧のうちいずれかが所定の閾値を上回った場合に検出される
ことを特徴とする請求項１ないし３のいずれかに記載の電気光学装置の制御方法。
【請求項６】
電気光学物質に電圧を印加するための一対の電極と、
複数の電圧のうちいずれかを前記一対の電極に印加する駆動回路と、
前記駆動回路に供給される前記複数の電圧のうちいずれかの変動を検出する検出手段と、
前記検出手段により変動が検出された場合に、前記一対の電極のうち少なくとも一方に蓄えられた電荷を除去する除去手段と
を具備することを特徴とする電気光学装置。
【請求項７】
前記複数の電圧は、前記電気光学物質を駆動する駆動電圧と、前記電気光学物質を非駆動とする非駆動電圧とを含み、
前記除去手段は、前記駆動回路によって前記一対の電極に前記非駆動電圧を印加させて、前記一対の電極に蓄えられた電荷を除去する
ことを特徴とする請求項６に記載の電気光学装置。
【請求項８】
前記除去手段は、固定電位を供給する配線に、前記一対の電極うち少なくとも一方を接続することにより、当該電極に蓄えられた電荷を除去する
ことを特徴とする請求項６に記載の電気光学装置。
【請求項９】
前記検出手段は、前記複数の電圧のうちいずれかが所定の閾値を下回った場合に前記複数の電圧のうちいずれかの変動を検出する
ことを特徴とする請求項６ないし８のいずれかに記載の電気光学装置。
【請求項１０】
前記検出手段は、前記複数の電圧のうちいずれかが所定の閾値を上回った場合に前記複数の電圧のうちいずれかの変動を検出する
ことを特徴とする請求項６ないし８のいずれかに記載の電気光学装置。
【請求項１１】
請求項６ないし１０のいずれかに記載の電気光学装置を有することを特徴とする電子機器。
【請求項１２】
電気光学物質に電圧を印加するための一対の電極と、
複数の電圧のうちいずれかを前記一対の電極に印加する駆動回路と、
前記駆動回路に供給される前記複数の電圧のうちいずれかの変動を検出する検出手段と、
前記検出手段により変動が検出された場合に、前記一対の電極のうち少なくとも一方に蓄えられた電荷を除去する除去手段と
を形成することを特徴とする電気光学装置の製造方法。
【発明の詳細な説明】
【０００１】
【発明の属する技術分野】
この発明は、電気光学装置、電気光学装置の制御方法、電気光学装置の製造方法および電子機器に関する。
【０００２】
【従来の技術】
液晶装置などの電気光学装置は、電源電圧から複数の電圧を生成する駆動電圧生成回路と、駆動電圧生成回路により生成された電圧のうち、いずれかを選択的に電極に印加する駆動回路と有する構成が一般的である（例えば、特許文献１など）。この種の電気光学装置においては、駆動電圧生成回路により生成された複数の電圧の各々と１対１に対応するように設けられた供給線を介して、駆動電圧生成回路によって生成された電圧が、駆動回路に供給されるようになっている。
【０００３】
【特許文献１】
特開２００２−３６６１２０号公報（図１および図２参照）
【０００４】
【発明が解決しようとする課題】
ところで、これらの供給線が、供給線を含む他の配線と短絡すると、駆動回路に供給される電圧が変動する。例えば、供給線が自身より高い電圧が印加された他の配線と短絡すると、本来供給されるべき電圧より高い電圧が駆動回路に供給される。逆に、供給線が、自身より低い電圧が印加された他の配線と短絡すると、本来供給されるべき電圧より低い電圧が駆動回路に供給される。このように駆動回路に供給される電圧が変動すると、電極に印加される電圧は、本来印加されるべき電圧から異なり、時としてその極性が反転する場合も生じ得る。
【０００５】
ここで、電極に印加される電圧が変動し、本来印加すべき電圧から異なったり、その極性が反転したりすると、表示期間にわたって電極に直流電圧が作用したままの状態が継続することとなる。このように電気光学物質の電極に直流電圧が印加されると、例えば液晶であれば、液晶に作用する電界が一方向に偏ってしまうため、液晶の性能が劣化し、いわゆる焼き付きなどの不具合を招く可能性があった。
【０００６】
本発明は、上述した事情に鑑みてなされたものであり、その目的とするところは、駆動回路に供給される電圧が変動したとしても、電気光学物質に劣化を生じさせることのない電気光学装置、その電気光学装置の制御方法、電気光学装置の製造方法および電子機器を提供することにある。
【０００７】
【課題を解決するための手段】
上述した問題を解決するため、本発明にかかる電気光学装置の制御方法は、電気光学物質に電圧を印加するための一対の電極に、複数の電圧のうちいずれかを印加する駆動回路を備えた電気光学装置の制御方法であって、前記駆動回路に供給される前記複数の電圧のうちいずれかの変動を検出し、前記複数の電圧のうちいずれかの変動が検出された場合に、前記一対の電極のうち少なくとも一方に蓄えられた電荷を除去することを特徴とする。
かかる電気光学装置の制御方法によれば、駆動回路に供給される電圧の変動が検出されたならば、電極に蓄えられた電荷が除去される。このため、駆動回路に電圧を供給する供給線間における短絡などにより、駆動回路に供給される電圧が変動したとしても、電気光学物質に劣化を生じさせるおそれがない。
【０００８】
好ましい態様において、前記複数の電圧は、前記電気光学物質を駆動する駆動電圧と、前記電気光学物質を非駆動とする非駆動電圧とを含み、前記複数の電圧のうちいずれかの変動が検出された場合に、前記一対の電極に前記非駆動電圧を印加して、前記一対の電極に蓄えられた電荷を除去する。このように一般的な電気光学装置において生成される非駆動電圧を用いて電荷を除去することにより、電荷の除去にかかる電圧を別途生成する必要がない。
【０００９】
また、別の好ましい態様において、前記複数の電圧のうちいずれかの変動が検出された場合に、固定電位を供給する配線に、前記一対の電極うち少なくとも一方を接続することにより当該電極に蓄えられた電荷を除去する。このように、固定電位を供給する配線に電極を接続して電荷を除去することによって、確実に電荷を除去することが可能となる。
【００１０】
ここで、前記複数の電圧のうちいずれかの変動は、前記複数の電圧のうちいずれかが所定の閾値を下回った場合に検出されるものとしても良いし、前記複数の電圧のうちいずれかが所定の閾値を上回った場合に検出されるものとしても良い。このように閾値に応じて電圧の変動を検出することにより、電圧の変動の幅に遊びを持たせることが可能となる。
【００１１】
また、本発明は、電気光学物質に電圧を印加するための一対の電極と、複数の電圧のうちいずれかを前記一対の電極に印加する駆動回路と、前記駆動回路に供給される前記複数の電圧のうちいずれかの変動を検出する検出手段と、前記検出手段により変動が検出された場合に、前記一対の電極のうち少なくとも一方に蓄えられた電荷を除去する除去手段とを具備することを特徴とする電気光学装置を提供する。
この構成によれば、駆動回路に供給される電圧が変動したならば、電極に蓄えられた電荷は除去手段により除去される。したがって、上述した制御方法と同様に、駆動回路に供給される電圧が変動したとしても、電気光学物質に劣化を生じさせるおそれがない。
【００１２】
好ましい態様において、前記複数の電圧は、前記電気光学物質を駆動する駆動電圧と、前記電気光学物質を非駆動とする非駆動電圧とを含み、前記除去手段は、前記駆動回路によって前記一対の電極に前記非駆動電圧を印加させて、前記一対の電極に蓄えられた電荷を除去する。
かかる構成によれば、一般的な電気光学装置において生成される非駆動電圧を用いて電荷を除去することができるため、電荷の除去にかかる電圧を別途生成する必要がない。
【００１３】
また、別の好ましい態様において、前記除去手段は、固定電位を供給する配線に、前記一対の電極うち少なくとも一方を接続することにより、当該電極に蓄えられた電荷を除去する。このように固定電位を供給する配線に電極を接続して電荷を除去することによって、確実に電荷を除去することが可能となる。
【００１４】
ここで、前記検出手段は、前記複数の電圧のうちいずれかが所定の閾値を下回った場合に前記複数の電圧のうちいずれかの変動を検出する構成としても良いし、前記複数の電圧のうちいずれかが所定の閾値を上回った場合に前記複数の電圧のうちいずれかの変動を検出する構成としても良い。この構成によれば、閾値に応じて電圧の変動を検出するため、電圧の変動の幅に遊びを持たせることが可能となる。
また、本発明は、電気光学物質に電圧を印加するための一対の電極と、複数の電圧のうちいずれかを前記一対の電極に印加する駆動回路と、前記駆動回路に供給される前記複数の電圧のうちいずれかの変動を検出する検出手段と、前記検出手段により変動が検出された場合に、前記一対の電極のうち少なくとも一方に蓄えられた電荷を除去する除去手段とを形成することを特徴とする電気光学装置の製造方法を提供する。
以上説明した電気光学装置は、携帯電話機などの電子機器における表示手段の他、液晶プロジェクタに含まれるライトバルブなどの光を変調する手段として使用され得る。
【００１５】
【発明の実施の形態】
以下、本発明の実施の形態に係る電気光学装置の一例として、携帯電話機などの電子機器に表示部として搭載される液晶装置について説明する。
【００１６】
＜全体構成＞
図１は、本実施形態に係る液晶装置の電気的な構成を示すブロック図である。同図に示すように、液晶装置１００において画像が表示される表示領域１１０には、「２００本」の走査線２１０と「１６０本」のデータ線３１０とが格子をなすように設けられている。図２は、液晶装置１００のうち表示領域１１０の機械的な構成を示す斜視図である。この図に示すように、素子基板３０２上には、複数のデータ線３１０が列（Ｙ）方向に延在するように設けられている。画素電極３２０は、素子基板３０２上に、各データ線３１０に沿って列をなすように設けられており、表示領域１１０においてマトリックス状に配列している。各画素電極３２０と、これに隣り合うデータ線３１０とは、二端子型スイッチング素子の一種であるＴＦＤ（Ｔｈｉｎ  Ｆｉｌｍ  Ｄｉｏｄｅ）３３０を介して接続されている。
【００１７】
素子基板３０２と間隔を隔てて対向する対向基板２０２には、電極として機能する複数の走査線２１０が行（Ｘ）方向に延在するように設けられている。この走査線２１０と画素電極３２０との間で生じる電位差により、それらの間に介在する液晶３４０に作用する電界を変化させることができる。液晶装置１００においては、表示領域１１０のうち画素電極３２０と走査線２１０とが対向する部分ごとに液晶３４０を駆動することが可能であり、この部分が表示の最小単位たる画素となる。なお、液晶装置１００には、液晶３４０の配向状態を規定するための配向膜の他、偏光のための偏光板などが、例えばノーマリーホワイトモードとなるように配設される。
【００１８】
再び図１において、ＣＰＵ（Ｃｅｎｔｒａｌ  Ｐｒｏｃｅｓｓｉｎｇ  Ｕｎｉｔ）１２０は、水晶振動子などを含み、クロック信号や各種制御信号を構成各部に供給して、液晶装置１００全体を制御する。ここで、ＣＰＵ１２０が実行する制御の内容としては、電子機器から供給される画素毎の階調を指示する階調データに応じて液晶３４０を駆動するための制御の他、駆動電圧を供給する供給線において電圧低下が生じたか否かに応じて、画素電極３２０および走査線２１０に蓄積された電荷を除去するための制御などがある。
【００１９】
ＣＰＵ１２０から出力される制御信号のうち特徴的な信号は、図９に示すオフシーケンス信号ＯＳと電圧生成停止信号ＰＯとである。このうち、オフシーケンス信号ＯＳは、ＣＰＵ１２０から駆動制御回路１３０に供給される信号である。ＣＰＵ１２０は、オフシーケンス信号ＯＳをＬレベルからＨレベルに反転させることにより、全ての画素について白色表示させる旨を駆動制御回路１３０に指示する。一方、電圧生成停止信号ＰＯは、ＣＰＵ１２０から駆動電圧生成回路１４０に供給される信号である。駆動電圧生成回路１４０は、電圧生成停止信号ＰＯがＨレベルであれば、駆動電圧を生成するが、電圧生成停止信号ＰＯがＬレベルであれば、駆動電圧を生成しない。
【００２０】
図１において、Ｉ／Ｏ１５０は、電子機器の制御回路（不図示）から供給される階調データをＣＰＵ１２０に入力したり、電子機器の電源回路から供給された電源電圧Ｖｃｃを、駆動電圧生成回路１４０を始めとする構成各部に供給したりする。
【００２１】
駆動電圧生成回路１４０は、上述した電圧生成停止信号ＰＯ（図９参照）がＨレベルである場合にのみ、Ｉ／Ｏ１５０を介して供給される電源電圧Ｖｃｃから、画素電極３２０および走査線２１０に選択的に印加されるべき４種類の電圧「±ＶＳおよび±ＶＤ／２」をそれぞれ生成する。
【００２２】
このうち、＋ＶＳは、走査線２１０に印加される選択電圧のうち正側の選択電圧（以下「ＶＳＰ」と称する）として用いられ、供給線１４２を介して走査線駆動回路２００に供給される。また、−ＶＳは、走査線２１０に印加される選択電圧のうち負側の選択電圧（以下「ＶＳＮ」と称する）として用いられ、供給線１４４を介して走査線駆動回路２００に供給される。一方、＋ＶＤ／２は、走査線２１０に印加される非選択電圧のうち正側の非選択電圧（以下「ＶＨＰ」と称する）と、データ線３１０に印加されるデータ電圧のうち正側のデータ電圧（以下「ＶＤＰ」と称する）とで兼用され、供給線１４６を介して走査線駆動回路２００およびデータ線駆動回路３００にそれぞれ供給される。−ＶＤ／２は、走査線２１０に印加される非選択電圧のうち負側の非選択電圧（以下「ＶＨＮ」と称する）と、データ線３１０に印加されるデータ電圧のうち負側のデータ電圧（以下「ＶＤＮ」と称する）とで兼用され、供給線１４８を介して走査線駆動回路２００およびデータ線駆動回路３００にそれぞれ供給される。なお、本実施形態において、走査線２１０やデータ線３１０に印加される各電圧の極性基準は、±ＶＤ／２の中間電圧を基準としている。また、この明細書においては、電圧と記す場合、特に断りのない限り、接地電位を基準とした電位を意味する。
【００２３】
駆動制御回路１３０は、ＣＰＵ１２０による制御の下、データ線駆動回路３００に対して、水平走査に関わる各種制御信号やクロック信号を供給する一方で、走査線駆動回路２００に対して、垂直走査に関わる各種制御信号やクロック信号を供給する。
【００２４】
走査線駆動回路２００は、通常の表示状態においては、駆動制御回路１３０による制御の下、駆動電圧生成回路１４０から供給されたＶＳＰ、ＶＨＰ、ＶＨＮおよびＶＳＮのいずれかを選択し、走査信号Ｙ１、Ｙ２、Ｙ３、…、Ｙ２００として、それぞれ１行目、２行目、３行目、…、２００行目の走査線２１０に供給する。この際、走査線駆動回路２００は、２００本の走査線２１０を１本ずつ選択して、選択した走査線２１０には、ＶＳＰおよびＶＳＮのいずれかの選択電圧を印加する一方で、他の走査線２１０には、ＶＨＰおよびＶＨＮのいずれかの非選択電圧を印加する。ここで、選択電圧とは、データ線３１０に印加され得るデータ電圧にかかわらずＴＦＤ３３０を強制的に導通状態（オン）にさせるための電圧である。一方、非選択電圧とは、データ線３１０に印加され得るデータ電圧にかかわらずＴＦＤ３３０を強制的にオフさせるための電圧である。
【００２５】
データ線駆動回路３００は、走査線駆動回路２００により選択信号が供給されている走査線２１０に対応する「１６０」個の画素電極３２０の各々に対し、表示内容に応じたデータ信号Ｘ１、Ｘ２、Ｘ３、…、Ｘ１６０を、それぞれ対応するデータ線３１０を介して供給する。この際、データ線駆動回路３００は、駆動電圧生成回路１４０から供給されたＶＤＰおよびＶＤＮのいずれかをデータ信号として供給する。
【００２６】
表示領域１１０においては、走査線２１０に選択電圧が印加されると、当該走査線２１０と各データ線３１０との交差に対応するＴＦＤ３３０がオンとなり、各画素電極３２０が、それと対応するＴＦＤ３３０を介してデータ線３１０に接続する。これにより、画素電極３２０と走査線２１０と両電極の間に介在する液晶３４０とからなる画素容量３５０に、選択電圧とデータ電圧との差に応じた電荷が蓄積される。この際、画素容量３５０に対する実効値を段階的に変化させて、画素容量３５０に蓄積させる電荷量を変化させることにより、液晶３４０の配向状態を段階的に制御して、階調表示を実現することができる。なお、電荷の蓄積後、非選択電圧を走査線２１０に印加してＴＦＤ３３０をオフさせたとしても、一旦画素容量３５０に蓄積された電荷は一定期間にわたり蓄積されたままの状態となる。
【００２７】
電圧低下検出回路１６０は、供給線１４２，１４４，１４６および１４８の各々の電圧の低下を検出し、その検出結果を示す検出信号ＤＳをＣＰＵ１２０に供給する。ＣＰＵ１２０は、この検出信号ＤＳに応じて、上述したように全ての画素容量３５０に蓄えられた電荷を除去した後、液晶装置１００における動作を停止させるための処理を実行する。なお、電圧低下検出回路１６０の詳細については後述する。
【００２８】
＜駆動法＞
本実施形態においては、４値駆動法（１／２Ｈセレクト、１Ｈ反転）により各画素が駆動される。この駆動法は、大略すると、１水平走査期間を２分割して前半期間と後半期間とに分け、このうち例えば後半期間において１本の走査線２１０に選択電圧を印加するとともに、当該走査線２１０に位置する画素の表示内容に応じたデータ電圧を、対応するデータ線３１０に印加する一方、その前半期間では、後半期間に印加されるであろう電圧の逆極性の電圧を当該データ線３１０に予め印加する、という駆動法である。
【００２９】
かかる４値駆動法によれば、データ電圧の実効値は、表示パターンに依存することなく、データ線３１０同士にわたって一定になるので、いわゆるクロストークの発生が防止することができる。以下、この４値駆動法を実行するために必要となる構成や信号などについて説明する。
【００３０】
＜駆動制御回路＞
まず、駆動制御回路１３０から走査線駆動回路２００に供給される各種信号について説明する。前掲図９において、非選択指示信号ＮＳと垂直走査停止信号ＹＲとが、駆動制御回路１３０から走査線駆動回路２００に供給される信号である。このうち非選択指示信号ＮＳは、ＣＰＵ１２０から出力されるオフシーケンス信号ＯＳがＨレベルに反転してから、１垂直走査期間（１フレーム）に対応する時間長が経過した時点にＨレベルからＬレベルに反転する信号である。駆動制御回路１３０は、Ｈレベルの非選択指示信号ＮＳを出力することにより、走査線駆動回路２００に対して、２００本の走査線２１０を一本ずつ選択し、選択した走査線２１０のみに選択電圧を印加させるが、それ以外の走査線２１０には非選択電圧を印加させる旨を指示する。一方、駆動制御回路１３０は、Ｌレベルの非選択指示信号ＮＳを出力することにより、走査線駆動回路２００に対して、全ての走査線２１０に非選択電圧を印加させる旨を指示する。
【００３１】
一方、垂直走査停止信号ＹＲは、ＣＰＵ１２０から供給されるオフシーケンス信号ＯＳがＨレベルに反転してから、２垂直走査期間に対応する時間長が経過した時点にＨレベルからＬレベルに反転する信号である。駆動制御回路１３０は、垂直走査停止信号ＹＲをＨレベルからＬレベルに反転させることにより、走査線駆動回路２００に垂直走査の停止を指示する。ここで、垂直走査の停止とは、接地電位を供給するための配線に全走査線２１０を接続する処理である。
【００３２】
引き続き、駆動制御回路１３０から走査線駆動回路２００に供給される各種信号について図４を参照して説明する。同図に示される各信号のうち、スタートパルスＤＹ、クロック信号ＹＳＣＬ、極性指示信号ＰＯＬおよび制御信号ＩＮＨの各々が駆動制御回路１３０から走査線駆動回路２００に供給される信号である。これらの信号は、上述の非選択指示信号ＮＳがＨレベルの場合のみ、駆動制御回路１３０から走査線駆動回路２００に供給される信号である。
【００３３】
まず、スタートパルスＤＹは、１垂直走査期間（１フレーム＝「１Ｈ×２００」）の最初に出力されるパルスであり、走査線駆動回路２００の他、データ線駆動回路３００にも供給される。一方、クロック信号ＹＳＣＬは、垂直走査の基準となる信号であり、１水平走査期間（１Ｈ）の時間長に相当する周期を有する。また、極性指示信号ＰＯＬは、走査信号における選択電圧の極性を指示するための信号であり、ひとつの垂直走査期間内では、時間的に連続する１水平走査期間毎に論理レベルが反転すると共に、時間的に連続する垂直走査期間の間において対応する水平走査期間に着目しても、論理レベルが反転している。この実施形態においては、便宜的に、極性指示信号ＰＯＬがＨレベルであると、選択電圧の極性として正側を指示し、極性指示信号ＰＯＬがＬレベルであると、選択電圧の極性として負側を指示するものとする。また、制御信号ＩＮＨは、１水平走査期間における選択電圧の印加期間、つまり各水平走査期間の後半期間を規定するための信号である。
【００３４】
次に、駆動制御回路１３０からデータ線駆動回路３００に供給される各種信号について図６を参照して説明する。この図に示される各信号のうち、ラッチパルスＬＰ、リセット信号ＲＥＳ、極性指示信号ＭＸおよび階調コードパルスＧＣＰの各々が駆動制御回路１３０からデータ線駆動回路３００に供給される信号である。このうち、ラッチパルスＬＰは、データ線駆動回路３００においてデータ信号をラッチするための信号であり、１水平走査期間の開始と共に立ち上がるパルスである。次に、リセット信号ＲＥＳは、１水平走査期間の前半期間および後半期間の開始時点にそれぞれ立ち上がるパルス信号である。
【００３５】
極性指示信号ＭＸは、上述した垂直走査で用いられる２つの信号、すなわち極性指示信号ＰＯＬと制御信号ＩＮＨとの排他的論理和を示す信号であり、データ信号の極性を指示するための信号である。
【００３６】
また、駆動制御回路１３０は、Ｉ／Ｏ１５０を介して電子機器から供給された階調データを３ビットの階調データとして、データ線駆動回路３００に入力する（不図示）。階調コードパルスＧＣＰは、１水平走査期間の前半期間および後半期間の各々において、中間階調に応じた期間の位置にそれぞれ配列するパルスである。さらに詳述すると、階調データが（０００）であれば白色に相当する階調が指示される一方、階調データが（１１１）であれば黒色に相当する階調が指示されるものとすると、階調コードパルスＧＣＰは、１水平走査期間の半分期間の各々において、白色および黒色を除く灰色の（１１０）、（１０１）、（１００）、（０１１）、（０１０）、（００１）の６個に対応したパルスが配列されている。なお、このような階調コードパルスＧＣＰは、画素容量３５０における電圧−透過率（濃度）の特性を考慮して、それぞれの立ち上がりのタイミングが選定される。
【００３７】
＜走査線駆動回路＞
次に、走査線駆動回路２００の詳細について図３を参照して説明する。この図において、シフトレジスタ２０２は、走査線２１０の総数（この例では２００本）に対応した２００ビットシフトレジスタである。このシフトレジスタ２０２は、１垂直走査期間の最初に供給されるスタートパルスＤＹを、クロック信号ＹＳＣＬにしたがって順次シフトして、転送信号ＹＳ１、ＹＳ２、ＹＳ３、・・・、ＹＳ２００として順次出力する。ここで、転送信号ＹＳ１、ＹＳ２、ＹＳ３、・・・、ＹＳ２００は、それぞれ１行目、２行目、３行目、・・・、２００行目の走査線２１０に１対１に対応する信号であって、いずれかの転送信号がＨレベルになると、それに対応する走査線２１０が選択されるべき水平走査期間を指定する。
【００３８】
電圧選択信号生成回路２０４は、シフトレジスタ２０２により生成された転送信号ＹＳ１、ＹＳ２、・・・、ＹＳ２００の他、極性指示信号ＰＯＬ、制御信号ＩＮＨに応じて電圧選択信号を生成する。この電圧選択信号は、ＶＳＰ、ＶＨＰ、ＶＨＮおよびＶＳＮの４値のうち、いずれの電圧が各走査線２１０に印加すべき電圧であるかを指示するための信号である。なお、この電圧選択信号の具体的な内容については、後述する走査信号の電圧波形とあわせて説明する。
【００３９】
レベルシフタ２０６は、電圧選択信号生成回路２０４によって出力された電圧選択信号の電圧振幅を拡大するものである。セレクタ２０８は、電圧振幅が拡大された電圧選択信号によって指示される電圧を、ＶＳＰ、ＶＨＰ、ＶＨＮおよびＶＳＮの中から選択して、対応する走査線２１０の各々に印加する。
【００４０】
＜走査信号の電圧波形＞
ここで、非選択指示信号ＮＳがＨレベルの場合に、走査線駆動回路２００において生成される信号の電圧波形について図４を参照して説明する。同図において、スタートパルスＤＹは、クロック信号ＹＳＣＬに従って１水平走査期間ごとに順次シフトされ、これが転送信号ＹＳ１〜ＹＳ２００としてシフトレジスタ２０２から出力される。
【００４１】
さらに、これらの転送信号ＹＳ１〜ＹＳ２００と、極性指示信号ＰＯＬと、制御信号ＩＮＨとに応じて、以下の条件を規定する電圧選択信号が、電圧選択信号生成回路２０４によって生成される。すなわち、ある走査線２１０に供給される走査信号に着目すると、当該走査線２１０に対応する転送信号がＨレベルとなる水平走査期間のうち、制御信号ＩＮＮがＨレベルとなる後半期間においては、極性指示信号ＰＯＬに応じた極性を有する選択電圧（ＶＳＰおよびＶＳＮのいずれか）となり、その後、転送信号がＬレベルに反転すると、直前の選択電圧と同一極性を有する非選択電圧（ＶＨＰおよびＶＨＮのいずれか）となるような、走査信号が生成される。
【００４２】
いま、第（ｎ）フレームに含まれる水平走査期間のうち、転送信号ＹＳ１がＨレベルとなる第１番目の１水平走査期間に着目する。この水平走査期間のうち制御信号ＩＮＨがＨレベルとなる後半期間において、第１行目の走査線２１０に供給される選択電圧（走査信号Ｙ１）の極性は、極性指示信号ＰＯＬに対応した極性となる。すなわち、走査信号Ｙ１は、Ｈレベルの極性指示信号ＰＯＬに対応した正側のＶＳＰとなる。そして、選択期間が経過して転送信号ＹＳ１がＬレベルに反転すると、走査信号Ｙ１は、直前の選択電圧（ＶＳＰ）と等しい極性（正側）を有するＶＨＰとなる。
【００４３】
なお、極性指示信号ＰＯＬは、時間的に連続する１水平走査期間ごとに論理レベルが反転するため、各垂直走査期間においては、時間的に連続して走査線２１０間に供給される走査信号Ｙｊ（ｊは、１≦ｊ≦２００を満たす整数）は互いに極性が反転している。また、極性指示信号ＰＯＬは、時間的に連続する垂直走査期間において論理レベルが反転している。このため、時間的に連続する２つの垂直走査期間に着目すると、ひとつの走査線２１０に対応する走査信号Ｙｊは互いに極性が反転している。
【００４４】
＜データ線駆動回路＞
次に、データ線駆動回路３００の詳細について説明する。図５は、データ線駆動回路３００の構成を示すブロック図である。この図において、アドレス制御回路３０２は、階調データの読み出しに用いる行アドレスを生成するものであり、当該行アドレスを、１フレームの最初に供給されるスタートパルスＤＹによりリセットするとともに、各水平走査期間の最初に供給されるラッチパルスＬＰで歩進させる。
【００４５】
階調データＲＡＭ３０４は、２００行×１６０列に配列する画素に対応する記憶領域を有するデュアルポートＲＡＭ（Ｒａｎｄｏｍ  Ａｃｃｅｓｓ  Ｍｅｍｏｒｙ）である。すなわち、階調データＲＡＭ３０４の書き込み側では、各画素の階調を指示するための階調データが、当該各画素に対応する番地に書き込まれる。一方、階調データＲＡＭ３０４の読み出し側では、行アドレスで指定された番地の階調データが１行分ごとに読み出されるようになっている。つまり、階調データＲＡＭ３０４においては、１水平走査期間ごとに、ひとつの行に属する１６０個の画素の階調を指示するための階調データが読み出される構成になっている。
【００４６】
ＰＷＭデコーダ３０６は、階調データＲＡＭ３０４から読み出された階調データと、駆動制御回路１３０から供給される極性指示信号ＭＸと、リセット信号ＲＥＳと、階調制御信号ＧＣＰとに応じて、セレクタ３０８に電圧選択信号を出力する。この電圧選択信号は、ＶＤＰおよびＶＤＮの２値のうち各データ線３１０に対して印加すべき電圧をセレクタ３０８に指示するための信号である。セレクタ３０８は、ＰＷＭデコーダ３０６から出力される電圧選択信号に応じて電圧ＶＤＰおよびＶＤＮのいずれかを選択するとともに、選択した電圧を各データ線３１０に印加する。
【００４７】
＜データ信号の電圧波形＞
次に、図６を参照して、データ線駆動回路３００によって出力されるデータ信号の電圧波形について説明する。
上述したように、水平走査期間ごとに、ひとつの行に属する１６０個の画素の階調を指示するための階調データが階調データＲＡＭ３０４から読み出されてＰＷＭデコーダ３０６に供給される。
【００４８】
一方、ＰＷＭデコーダ３０６は、これらの階調データと、極性指示信号ＭＸと、リセット信号ＲＥＳと、階調制御パルスＧＣＰとに応じて、以下の条件を満たす電圧選択信号を生成する。すなわち、各データ信号Ｘｉ（ｉは、１≦ｉ≦１６０を満たす整数）の電圧が、リセット信号ＲＥＳが立ち上がる前半期間および後半期間の各々の開始時に極性指示信号ＭＸと反対のレベルにリセットされ、かつ、前半期間および後半期間の各々の期間において、階調データに対応する階調制御パルスＧＣＰの立ち上がり時において極性指示信号ＭＸと同一レベルに反転する関係となるように、ＰＷＭデコーダ３０６は電圧選択信号を生成する。ただし、ＰＷＭデコーダ３０６は、階調データがオンに相当する（１１１）であれば、当該水平走査期間の全期間にわたり、データ信号Ｘｉが極性指示信号ＭＸと同一レベルとなるように、電圧選択信号を生成する。
【００４９】
こうして生成された電圧選択信号に応じてＶＤＰおよびＶＤＮのいずれかが選択される結果、データ信号Ｘｉの電圧波形は図６に示すとおりとなる。すなわち、ひとつの水平走査期間に着目すると、各リセット信号ＲＥＳの立ち上がりタイミングから、階調データに対応する階調制御パルスＧＣＰの立ち上がりのタイミングに至るまでの期間において、極性指示信号ＭＸの反転レベルに対応するデータ電圧がデータ線３１０に印加される一方、階調制御パルスＧＣＰの立ち上がりのタイミングから、次のリセット信号ＲＥＳが立ち上がるまでの残りの期間において極性指示信号ＭＸと同一レベルに対応するデータ電圧がデータ線３１０に印加される。ただし、階調データが（１１１）である場合には、リセット信号ＲＳの立ち上がると、それ以降、次のリセット信号ＲＳが立ち上がるまで、極性指示信号ＭＸと同一レベルに対応するデータ電圧がデータ線３１０に印加される。
【００５０】
したがって、１水平走査期間において、前半期間におけるデータ信号Ｘｉと、後半期間におけるデータ信号Ｘｉとは論理レベルが反転したものとなり、データ信号ＸｉがＶＤＰとなる期間とＶＤＮとなる期間とは、階調データにかかわらず相互に等しい時間長となる。なお、極性指示信号ＭＸは、極性指示信号ＰＯＬと制御信号ＩＮＨとの排他的論理和を示す信号であるため、データ信号Ｘｉの極性は、上述した走査信号Ｙｊの極性に対応したものとなる。
【００５１】
＜画素への印加電圧波形＞
次に、以上説明した走査信号Ｙｊおよびデータ信号Ｘｉにより、画素容量３５０に実際に印加される電圧波形について図７を参照して説明する。上述したように走査信号Ｙｊは、１フレームが経過する毎に、正側のＶＳＰとなる期間と負側のＶＳＮとなる期間とが交互に繰り返される。一方、データ信号Ｘｉは、極性指示信号ＭＸ、リセット信号ＲＥＳおよび階調制御パルスＧＣＰが同一であれば、階調データのみに応じて変化する。例えば、階調データとしてオン（１１１）、中間調（１００）、オフ（０００）のいずれかが与えられた場合を想定すると、それぞれ同図（ａ）、同図（ｂ）、同図（ｃ）に示す通りとなる。
【００５２】
画素容量３５０に印加される電圧波形は、走査信号Ｙｊを、データ信号Ｘｉで差し引いたものとなるから、階調データがオン（１１１）、中間調（１００）、オフ（０００）の場合には、それぞれ同図（ｄ）、同図（ｅ）、同図（ｆ）に示す通りとなる。
【００５３】
なお、電圧波形（ｆ）に示すように、階調データがオフ（０００）の場合であっても、画素容量３５０には、選択期間中に「ＶＳＰ−ＶＤＰ」の電圧（但し、ＶＤＰを基準とする）または「ＶＳＮ−ＶＤＮ」の電圧（但し、ＶＤＮを基準とする）が印加されることとなるが、これらの電圧により液晶３４０に作用する電界は、液晶３４０が駆動するために必要とされる閾値に達しない範囲にある。ここで、上述したオフシーケンス信号ＯＳがＬレベルからＨレベルに立ち上がると、駆動制御回路１３０は、階調データがオフ（０００）の場合の電圧波形（ｆ）が、１垂直走査期間中に全ての画素容量３５０に印加されるべく、走査線駆動回路２００およびデータ線駆動回路３００を制御する。
【００５４】
また、データ信号Ｘｉは、階調データの内容にかかわらず電圧ＶＤＰとなる期間と電圧ＶＤＮとなる期間とが互いに等しい時間長となるように供給されるので、保持期間（対応する水平走査期間以外の期間）では、階調データがいかに変化したとしても、画素容量３５０に印加される電圧実効値はすべての画素容量３５０にわたって等しくなる。このため、水平走査期間（の後半期間）において画素容量３５０に与えられた電荷が、ＴＦＤ３３０のオフリークによって放電する割合は、すべての画素容量３５０にわたって均等となる。したがって、同一濃度となるべき画素容量３５０同士において書き込まれた電荷は、その後、データ線３１０にいかなるデータ電圧が印加されようとも、次の書き込みまで同様に減少（放電）するので、特定のパターンを表示させた場合に発生する表示品位の低下を防止することが可能となっている。
【００５５】
くわえて、ＴＦＤ３３０は、電流−電圧特性が正負双方向にわたって非線形となるが、この特性が正側と負側とで若干異なる場合がある。本実施形態においては、時間的に連続する走査線２１０間において極性を反転させるとともに、データ信号Ｘｉの極性も走査信号Ｙｊの極性に対応させている。このため、偶数行の走査線２１０に位置する画素と奇数行の走査線２１０に位置する画素の明滅が交互に発生し、フリッカを抑えることができる。
【００５６】
＜電圧低下検出回路＞
次に、電圧低下検出回路１６０の詳細構成について図８を参照して説明する。同図に示すように、電圧低下検出回路１６０は、供給線１４２，１４４，１４６および１４８の総数（この例では「４」）に対応する４つのコンパレータ１６２，１６４，１６６および１６８と、各コンパレータ１６２，１６４，１６６および１６８から出力された信号の論理積を出力するＡＮＤゲート１６９とを有する。このうち、コンパレータ１６２，１６４，１６６および１６８の各々は、供給線１４２，１４４，１４６および１４８に印加される電圧Ｖ１，Ｖ２，Ｖ３およびＶ４の各々と、それに対応する閾値電圧Ｖｔｈ１，Ｖｔｈ２，Ｖｔｈ３およびＶｔｈ４とを比較するための手段である。
【００５７】
より具体的には、コンパレータ１６２は、供給線１４２の電圧Ｖ１と閾値電圧Ｖｔｈ１とを比較し、電圧Ｖ１が閾値電圧Ｖｔｈ１より高ければ、比較結果を示す比較信号Ｃ１としてＨレベルの信号を出力するが、電圧Ｖ１が閾値電圧Ｖｔｈ１より低ければ、比較信号Ｃ１としてＬレベルの信号を出力する。ここで、閾値電圧Ｖｔｈ１は、供給線１４２に印加されるべきＶＳＰが本来的にとるべき電圧の下限値を示す閾値である。仮に、供給線１４２と他の配線との短絡などの不具合により、供給線１４２に印加される電圧Ｖ１が閾値電圧Ｖｔｈ１未満となると、液晶装置１００においては、液晶３４０に直流電圧が印加される可能性が生じる。
【００５８】
コンパレータ１６４は、コンパレータ１６２と同様に、供給線１４４の電圧Ｖ２と閾値電圧Ｖｔｈ２とを比較し、コンパレータ１６６は、供給線１４６の電圧Ｖ３と閾値電圧Ｖｔｈ３とを比較し、コンパレータ１６８は、供給線１４８の電圧Ｖ４と閾値電圧Ｖｔｈ４とを比較する。ここで、閾値電圧Ｖｔｈ２は、ＶＨＰおよびＶＤＰが本来的にとるべき電圧の下限値であり、閾値電圧Ｖｔｈ３は、ＶＨＮおよびＶＤＮが本来的にとるべき電圧の下限値であり、閾値電圧Ｖｔｈ４は、ＶＤＮが本来的にとるべき電圧の下限値である。いずれのコンパレータ１６４，１６６および１６８も、コンパレータ１６２と同様に、供給線１４４，１４６または１４８の電圧が、それと対応する閾値電圧Ｖｔｈ２，Ｖｔｈ３またはＶｔｈ４より大であれば、比較信号Ｃ２，Ｃ３またはＣ４としてＨレベルの信号をそれぞれ出力するが、閾値電圧Ｖｔｈ２，Ｖｔｈ３またはＶｔｈ４より小であればＬレベルの信号をそれぞれ出力する。
【００５９】
ＡＮＤゲート１６９は、各コンパレータ１６２，１６４，１６６および１６８から出力された比較信号Ｃ１，Ｃ２，Ｃ３およびＣ４の論理積を示す検出信号ＤＳをＣＰＵ１２０に供給する。より詳細には、全ての電圧Ｖ１，Ｖ２，Ｖ３およびＶ４が、対応する閾値電圧Ｖｔｈ１，Ｖｔｈ２，Ｖｔｈ３およびＶｔｈ４より高くなる場合においては、ＡＮＤゲート１６９はＨレベルの検出信号ＤＳを出力する。一方、いずれかの電圧Ｖ１，Ｖ２，Ｖ３およびＶ４が、対応する閾値電圧Ｖｔｈ１，Ｖｔｈ２，Ｖｔｈ３またはＶｔｈ４未満となる場合においては、ＡＮＤゲート１６９はＬレベルの検出信号ＤＳを出力する。
【００６０】
＜供給線の電圧の低下に応じた動作＞
次に、電圧低下検出回路１６０から出力される検出信号ＤＳに応じて、ＣＰＵ１２０による制御の下、液晶装置１００において実行される処理について説明する。この処理は、いずれかの供給線１４２，１４４，１４６および１４８の電圧Ｖ１，Ｖ２，Ｖ３およびＶ４が、それと対応する閾値電圧Ｖｔｈ１，Ｖｔｈ２，Ｖｔｈ３およびＶｔｈ４未満となった場合に、全ての画素を白色表示させると共に、液晶装置１００の動作を停止させる処理である。
【００６１】
以下、図９を参照して、液晶装置１００において実行される処理について説明する。
この図に示すように、４本の供給線１４２，１４４，１４６および１４８のうち、例えば供給線１４２の電圧Ｖ１が閾値電圧Ｖｔｈ１未満となると、上述したように電圧低下検出回路１６０に含まれるコンパレータ１６２から出力される比較信号Ｃ１がＬレベルに反転する。これにより、ＡＮＤゲート１６９から出力される検出信号ＤＳは、ＨレベルからＬレベルに反転する。
【００６２】
ＣＰＵ１２０は、検出信号ＤＳがＬレベルに反転すると、駆動制御回路１３０に供給するオフシーケンス信号ＯＳをＬレベルからＨレベルに反転させる。駆動制御回路１３０は、オフシーケンス信号ＯＳがＨレベルになると、前掲図７に示す画素容量３５０への印加波形（ｄ）〜（ｆ）のうち、階調データが（０００）である場合の印加波形（ｆ）を、全ての画素容量３５０に対して印加させるための制御信号を、走査線駆動回路２００およびデータ線駆動回路３００にそれぞれ供給する。これにより、走査線駆動回路２００およびデータ線駆動回路３００の各々は、検出信号ＤＳがＬレベルに反転した後の１垂直走査期間（図中オフシーケンス期間）において、全ての画素容量３５０に「ＶＳＰ−ＶＤＰ」の電圧（但し、ＶＤＰを基準とする）または「ＶＳＮ−ＶＤＮ」の電圧（但し、ＶＤＮを基準とする）を印加して、全画素が白色表示となるように液晶３３０を駆動する。これにより、液晶３４０の駆動時に電圧「ＶＳＰ−ＶＤＮ」（但し、ＶＤＮを基準とする）または電圧「ＶＳＮ−ＶＤＰ」（但し、ＶＤＰを基準とする）を印加して、画素電極３２０および走査線２１０に蓄積させた電荷が、液晶３５０の駆動に影響を与えない程度の電荷量となるまで除去される。
このように、液晶装置１００においては、ＣＰＵ１２０、駆動制御回路１３０、走査線駆動回路２００およびデータ線駆動回路３００が、画素電極３２０と走査線２１０との各々に蓄積された電荷を除去する手段として機能する。これにより、供給線１４２，１４４，１４６および１４８の電圧が低下したとしても、液晶装置１００においては、液晶３４０の焼き付きなどの不具合が生じるおそれがない。
【００６３】
次に、駆動制御回路１３０は、オフシーケンス信号ＯＳがＨレベルに反転した後、１垂直走査期間に相当する時間長が経過すると、非選択指示信号ＮＳをＨレベルからＬレベルに反転させる。走査線駆動回路２００は、非選択指示信号ＮＳがＬレベルに反転すると、各走査線２１０に対する選択信号（ＶＳＰまたはＶＳＮ）の供給を停止し、いずれの走査線２１０に対しても非選択電圧（ＶＨＰまたはＶＨＮ）のみを印加する。これにより、ＴＦＤ３３０がオフとなり、全ての画素電極３２０は、データ線３１０と絶縁した状態となる。
【００６４】
一方、ＣＰＵ１２０は、オフシーケンス信号ＯＳがＨレベルに反転した後に、２垂直走査期間に相当する時間長が経過すると、電圧生成停止信号ＰＯをＨレベルからＬレベルに遷移させる。駆動電圧生成回路１４０は、電圧生成停止信号ＰＯがＬレベルに遷移すると、±ＶＳおよび±ＶＤ／２の生成を停止する。これにより、各供給線１４２，１４４，１４６および１４８は、接地電位およびＶｃｃのいずれかの電位をとることとなる。
【００６５】
また、駆動制御回路１３０は、オフシーケンス信号ＯＳがＨレベルに反転してから２垂直走査期間に相当する時間長が経過すると、走査線駆動回路２００に供給する垂直走査停止信号ＹＲをＨレベルからＬレベルに反転させる。走査線駆動回路２００は、垂直走査停止信号ＹＲがＬレベルに反転すると、垂直走査を停止して、接地電位を供給するための配線と、全走査線２１０とを導通させる。これにより、各走査線２１０は接地電位となり、画素容量３５０のうち画素電極３２０および走査線２１０（走査線２１０）に蓄積された電荷が完全に除去される。
【００６６】
この後、ＣＰＵ１２０は、図中スリープ期間で示す期間では、駆動電圧生成回路１４０および走査線駆動回路２００に関する制御を停止する。この際、ＣＰＵ１２０は、例えば駆動電圧生成回路１４０および走査線駆動回路２００へのクロック信号の供給を停止する。これにより、スリープ期間においては、駆動電圧生成回路１４０は駆動電圧の生成を停止する一方で、走査線駆動回路２００は垂直走査の停止状態を維持する。
【００６７】
ここで、オフシーケンス期間において各画素容量に蓄積された電荷を抜いた後、１垂直走査期間（図中「電荷除去期間」）の時間長だけ経過した後に、走査線駆動回路２００による垂直走査を停止させるのは次の理由による。すなわち、オフシーケンス期間の直後に垂直走査を停止させたとすると、画素容量３５０に蓄積された電荷が完全に抜けきらない可能性があるところ、蓄積された電荷を完全に除去する時間的な猶予を与えるためである。したがって、オフシーケンス期間の終了時点と、垂直走査を停止させる時点との時間間隔は、本実施形態で示した１垂直走査期間に限られず、液晶装置１００の特性に合わせて適宜変更することが可能である。
【００６８】
また、本実施形態において、垂直走査を停止させた後、電圧生成回路１４０および走査線駆動回路２００の動作を停止させるスリープ期間を設けているのは次の理由による。すなわち、供給線１４２、１４４、１４６および１４８に電圧の低下が生じるのは、それらに短絡が生じた場合に限らず、例えば駆動電圧生成回路１４０や走査線駆動回路２００における不具合を起因として生じる場合もありうる。これに対処すべく、本実施形態では、スリープ期間において駆動電圧生成回路１４０および走査線駆動回路２００の動作を制限することにより、それらの不具合を起因とする他の構成への悪影響を抑えることが可能となる。さらに、スリープ期間では、駆動電圧生成回路１４０および走査線駆動回路２００においては、電力がほとんど消費されることがないため、消費電力を抑えるという効果も期待できる。
【００６９】
以上説明したように液晶装置１００によれば、画素電極３３０および走査線２１０に印加されるべき電圧を供給する供給線１４２，１４４，１４６および１４８における電圧の低下を検出し、その検出結果に応じて、電極に蓄積された電荷を除去することにより、同電圧の低下を起因として電気光学物質に生じる劣化を防止することができる。
【００７０】
なお、本発明にかかる電気光学装置は、上述した構成の液晶装置１００のみ限定されるものではなく、本発明の要旨を逸脱しない範囲内において種々変更を加え得ることが可能である。
例えば、上述した実施形態においては、供給線１４２，１４４，１４６および１４８における電圧低下に応じて電荷を除去したが、本発明はこれに限らない。より具体的には、供給線１４２，１４４，１４６および１４８における電圧の上昇を検出し、その検出結果に応じて電極の電荷を除去しても、上述した実施形態と同様の効果が得られる。なお、供給線１４２，１４４，１４６および１４８における電圧の上昇を検出する方法としては、それらの電圧が所定の閾値を上回ったか否かに応じて検出する方法などがある。要は、供給線１４２，１４４，１４６および１４８における電圧の変動を検出し、その変動に応じて、画素容量３５０に蓄積された電荷を除去する構成であればよい。
ここで、画素容量３５０に蓄積された電荷を除去する方法としては、上記実施形態で例示したように液晶３４０（電気光学物質）を非駆動（白色表示）とする電圧を画素容量３５０に印加する方法や、固定電位たる接地電位を供給するための配線と走査線（電極）２１０とを接続する方法などがある。
【００７１】
また、上述した液晶装置１００にかかる細部は、種々の周知技術と代替することが可能である。例えば、液晶装置１００の走査線２１０やデータ線３１０の本数に変更を加えることも可能であるし、ノーマリーホワイトモードでなく、少なくとも電圧の無印加状態において黒色表示となるノーマリーブラックモードとしても良い。このようにノーマリーブラックモードとする場合、駆動制御回路１４０は、オフシーケンス期間において、全画素について黒色表示となるように走査線駆動回路２００およびデータ線駆動回路３００をそれぞれ制御する。また、アクティブ素子（能動素子）として、ＴＦＤの代わりにＴＦＴ（薄膜トランジスタ）を用いても良く、さらにはアクティブ素子を用いないパッシブマトリックスの液晶装置であっても、本発明を適用することができる。要は、液晶３４０などの電気光学物質に電圧を印加するための電極に対して、複数の電圧のうちいずれかを選択的に電圧を印加して、電気光学物質の光学特性を変化させる電気光学装置であれば任意に本発明を適用することができる。
【００７２】
上述した実施形態においては、供給線１４２，１４４，１４６および１４８における電圧の変動の検出後、オフシーケンス期間にて全画素を白色表示させることにより画素容量３５０から電荷を除去したが本発明はこれに限られない。例えば、オフシーケンス期間を設けることなく、電圧の変動を検出した直後に、走査駆動回路２００による垂直走査を停止させて、全ての走査線２１０が接地電位となるようにしても、上述した実施形態と同様に電極に蓄積された電荷を除去することが可能である。
【００７３】
さらに、上記実施形態では液晶装置１００を例として本発明の実施形態にかかる電気光学装置を説明したが、本発明の適用範囲はこれに限らず、例えば有機エレクトロルミネッセンス装置、無機エレクトロルミネッセンス装置、プラズマディスプレイ装置、ＦＥＤ（フィールドエミッションディスプレイ）パネル、電気泳動表示装置、電界放出表示装置、ＬＥＤ（ライトエミッティングダイオード）表示装置、薄型のブラウン管、液晶シャッター等を用いた小型テレビ、デジタルマイクロミラーデバイス（ＤＭＤ）を用いた装置など液晶以外の電気光学物質を有する電気光学装置であっても、電気光学物質の電極に印加すべき電圧の変動に起因して電気光学物質の劣化が発生し得る電気光学装置であれば、上述した実施形態と同様の効果が得られる。
【００７４】
最後に、以上説明した液晶装置１００を搭載した電子機器について説明する。例えば、図１０は、上述した液晶装置１００を表示部として有する携帯電話機８００の外観図である。この図において、携帯電話機８００は、複数の操作ボタン８１０の他、受話口８２０、送話口８３０と共に、電話番号などの各種情報を表示する表示部として、上記液晶装置１００を備えている。
また、携帯電話機８００以外にも、液晶装置１００（電気光学装置）は、コンピュータや、デジタルカメラ、ムービーカメラ、車載機器、複写機、オーディオ機器などの各種電子機器の表示部の他、プロジェクタにおける光変調手段としても用いることができる。
【図面の簡単な説明】
【図１】本発明の実施形態にかかる液晶装置の構成を示す図である。
【図２】同液晶装置の機械的構成を示す斜視図である。
【図３】同液晶装置に含まれる走査線駆動回路の構成を示す図である。
【図４】同走査線駆動回路にかかるタイミングチャートである。
【図５】同液晶装置に含まれるデータ線駆動回路の構成を示す図である。
【図６】同データ線駆動回路にかかるタイミングチャートである。
【図７】同液晶装置に含まれる画素容量に印加される電圧波形を説明するための図である。
【図８】同液晶装置に含まれる電圧低下検出回路の構成を示す図である。
【図９】同電圧低下検出回路の検出結果に応じた処理を説明するためのタイミングチャートである。
【図１０】同液晶装置を搭載した電子機器の一例を示す図である。
【符号の説明】
１００  液晶装置、１２０  ＣＰＵ、１３０  駆動制御回路、１４０  駆動電圧生成回路、１６０  電圧低下検出回路、  ２００  走査線駆動回路、２１０  走査線、３００  データ線駆動回路、３２０  画素電極、３５０  画素容量、８００  携帯電話機。
【図１】
2004317582.tif 000003
【図２】
2004317582.tif 000004
【図３】
2004317582.tif 000005
【図４】
2004317582.tif 000006
【図５】
2004317582.tif 000007
【図６】
2004317582.tif 000008
【図７】
2004317582.tif 000009
【図８】
2004317582.tif 000010
【図９】
2004317582.tif 000011
【図１０】
2004317582.tif 000012